(57)【特許請求の範囲】
【請求項１】
ワイヤハーネスを収容し、管状補強部材に取付けて使用されるハーネスプロテクタにおいて、
二つの分割体から略構成され、両分割体はヒンジにより開閉自在に連結され、閉状態において断面が三日月状であり、かつ、他方の分割体が弾性壁で構成され、該弾性壁は曲面の向きを反転可能に成型されていることを特徴とするハーネスプロテクタ。
【請求項２】
前記両分割体は、それぞれが曲面で構成され、一方の分割体は樋状の電線収容空間を有していることを特徴とする請求項１記載のハーネスプロテクタ。
【請求項３】
何れか一方の分割体の端部に係止爪が突出形成され、他方の分割体の端部に該係止爪と対応する係止孔が形成されていることを特徴とする請求項１または請求項２に記載のハーネスプロテクタ。
【請求項４】
前記係止孔は長孔に形成されていることを特徴とする請求項３記載のハーネスプロテクタ。
【請求項５】
閉状態にある他方の分割体の凹曲面側に、前記管状補強部材の外周の孔部に係合する係止クリップが設けられていることを特徴とする請求項１〜４の何れかに記載のプロテクタ。
【請求項６】
前記一方の分割体に、分岐線引出し用の切欠部が形成されていることを特徴とする請求項１〜５の何れかに記載のハーネスプロテクタ。
【発明の詳細な説明】
【０００１】
【発明の属する技術分野】
本発明は、自動車のインストルメントパネル内の管状補強部材に取り付けられるワイヤハーネスのハーネスプロテクタに関するものである。
【０００２】
【従来の技術】
従来、自動車のインストルメントパネル（以下「インパネ」という。）周りの計器等に給電するワイヤハーネスは、リーンホース又はステアリングメンバー等の管状補強部材に沿って配索されている。
【０００３】
複数の電線を束ねたワイヤハーネスの取付け方法は、直に結束テープを巻回して固定する方法や、ワイヤハーネスを収容したプロテクタの外周を結束バンドで巻回して固定する方法や、プロテクタの外周に突出して備わる係止爪等を管状補強部材の係止孔に挿入して、いわゆるワンタッチで固定する方法などがある。
【０００４】
結束テープを利用してワイヤハーネスを直に固定する方法や、結束バンドを巻回してプロテクタを固定する方法は、配索作業性が悪く、殊にスペースの少ないインパネ内においては、配索作業が極めて困難であるという問題があった。
【０００５】
一方、係止爪等を利用してワイヤハーネスを固定する方法は、ワンタッチで取付けることができ、配索作業性に優れる利益がある。従って、今ではワンタッチ式の固定方法が広く普及している。
【０００６】
図４は、特開２０００−１６６０６１号公報に記載された従来のワイヤハーネス固定方法の一例を示すものである。複数の電線を束ねたワイヤハーネス２７は、合成樹脂製のクランプ２０に把持され、自動車のインパネ部に設けられるリーンホース２５に固定されている。
【０００７】
クランプ２０は、ワイヤハーネス２７を把持するバンド状の把持部２１とリーンホース２５を弾性的に把持する略Ｕ字状の弾性把持部２２とが一体に形成されている。弾性把持部２２は、端部が開放されていて開閉自在になっている。
【０００８】
弾性把持部２２の底部には、開口部側に突き出して、リーンホース２５に形成された止め孔２６に係止される突起２３が設けられている。突起２３は、係め孔２６に係止されることにより、ワイヤハーネス２７のリーンホース２５に対する長さ方向の移動が規制されるようになっている。
【０００９】
また、ワイヤハーネス２７とリーンホース２５とは、１つのクランプ２０で把持されているので、把持部２１により把持されたワイヤハーネス２７はリーンホース２５に対して回転するようなこともない。
【発明が解決しようとする課題】
【００１０】
しかしながら、自動車に装着される電装部品の種類及び数は、飛躍的に増大しており、インパネ内においても、メータ類、スイッチ類、ヒータ及び空調ユニットなどの電装部品等が数多く内装されており、ワイヤハーネスの通線スペースは狭小になっている。これに伴って、電線の配線本数が増加するとともに、分岐数も大幅に増加しており、電装部品等に接続されるワイヤハーネスの配索作業が相当に困難となっている。
【００１１】
電線の配線本数が増加すると、電線の収束体であるワイヤハーネス自体も必然的に太径になり、また、分岐数が増加すると、電線の配索が複雑化して、狭小なインパネ内において通線スペースを確保することが一段と困難になる。
【００１２】
また、上記の従来技術の固定方法は、係止用の突起２３はリーンホース２５に形成された止め孔２６に係止されるので、ワイヤハーネス２７のリーンホース２５への着脱を容易に行うことができるものであるが、複数の電線を束ねたワイヤハーネス２７が太くなるにしたがい、ワイヤハーネス２７がリーンホース２５の外側に出っ張り、インパネ内の電装部品等と干渉するという問題があった。
【００１３】
さらにまた、上記の従来技術では、ワイヤハーネス２７の大部分が露出しているため、露出部分と他部品等との干渉によりワイヤハーネス２７に損傷を生ずることがあった。例えば、狭小なスペースに無理矢理ワイヤハーネス２７を取付けた場合には、車体の振動に起因して、ワイヤハーネス２７にガタ付きを生じ、異音等を生ずることがあった。
【００１４】
また、各種の電装部品に接続する電線の分岐数が多くなる場合は、複数の電線を束ねたワイヤハーネス２７が蛸足状となり、絡まる心配もあった。
【００１５】
本発明は、上記した点に鑑み、リーンホース等の管状補強部材の外側に張り出したワイヤハーネスが、インパネ内の電装部品等と干渉することを防止するとともに、ワイヤハーネスの配索作業性を向上することを目的とする。
【００１６】
【課題を解決するための手段】
上記目的を達成するために、本発明は、ワイヤハーネスを収容し、管状補強部材に取付けて使用されるハーネスプロテクタにおいて、二つの分割体から略構成され、両分割体はヒンジにより開閉自在に連結され、閉状態において断面が三日月状であり、かつ、他方の分割体が弾性壁で構成され、該弾性壁は曲面の向きを反転可能に成型されていることを特徴とする（請求項１）。
【００１７】
また、前記両分割体は、それぞれが曲面で構成され、一方の分割体は樋状の電線収容空間を有していることも有効である（請求項２）
【００１９】
また、何れか一方の分割体の端部に係止爪が突出形成され、他方の分割体の端部に該係止爪と対応する係止孔が形成されていることも有効である（請求項３）。また、係止孔は長孔に形成されていることも有効である（請求項４）。
【００２０】
また、閉状態にある他方の分割体２の凹曲面側に、前記管状補強部材１７の外周１８の孔部１１に係合する係止クリップ９が設けられていることも有効である（請求項５）。
【００２１】
また、前記一方の分割体に、分岐線引出し用の切欠部が形成されていることも有効である（請求項６）。
【００２２】
以下に、上記構成に基づく作用・効果を説明する。
請求項１記載の発明においては、管状補強部材に取り付けられるプロテクタは、二つの分割体から略構成されている。一方の分割体は下蓋体であり、他方の分割体は上蓋体である。両分割体は、ヒンジにより連結されているため、二枚貝の如き開閉自在である。閉状態のときのプロテクタの断面は、三日月形状を成しており、ワイヤハーネスは、両分割体の間に収容され、動かないように挟持される。プロテクタは、管状補強部材の長手方向に沿って重ねられ、各種の固定手段により取付けられる。
【００２３】
さらに他方の分割体が弾性壁であるから、弾性壁に対して垂直方向の力を作用させることによって、曲面の向きを反転させることが可能になっている。反転させるのは、電線収容空間に電線を収容する前でも、電線を収容した後でもよい。弾性壁を反転させることにより、プロテクタの断面は三日月状になり、電線収容空間、ひいてはプロテクタの内部空間が狭くなる。
【００２４】
請求項２記載の発明においては、両分割体は、それぞれが曲面で構成されているから、管状補強部材の外周に倣って取り付けることができる。
【００２５】
請求項３記載の発明においては、何れか一方の分割体の端部に係止爪が形成され、他方の分割体の端部に係止孔が形成されて、両分割体は閉じることができるようになっている。係止爪は錨状に形成されているから、係止孔への挿入をスムーズに行うことができる。また、取り外しは、係止爪を撓ませることにより行われる。
【００２６】
請求項４記載の発明においては、係止孔は、長孔に形成されているため、両蓋体の取付誤差を吸収でき、また、ワイヤハーネスの太さに応じて、係止爪の位置を周方向にスライドさせることができる。
【００２７】
請求項５記載の発明においては、他方の分割体の凹曲面側には、管状補強部材の孔部に係合する係止クリップが形成されているから、プロテクタを管状補強部材にワンタッチで固定することができる。係止クリップは錨状に形成されているから、孔部への挿入をスムーズに行うことができる。
【００２８】
請求項６記載の発明においては、一方の分割体に切欠部が形成されており、そして、この切欠部はプロテクタに開口を形成するから、収容された電線を外部へ分岐することができる。
【００２９】
【発明の実施の形態】
以下に本発明の実施の形態の具体例を図面を用いて詳細に説明する。
図１〜図４は、本発明に係るハーネスプロテクタの一実施形態を示すものである。図１は本発明のハーネスプロテクタの一実施形態を示す斜視図、図２は図１に示すハーネスプロテクタの開状態を示す図であり、（ａ）は展開した図、（ｂ）は（ａ）のＡ−Ａ線に沿う拡大断面図、図３は図１に示すハーネスプロテクタに電線を収容した状態を示す図であり、（ａ）は上蓋体と下蓋体とを係合した状態の拡大断面図、（ｂ）は上蓋体を反転させて凹ませた状態の拡大断面図、図４はリーンホースに本発明のプロテクタを取り付ける状態を示す説明図である。
【００３０】
図１に示すように、本発明に係るハーネスプロテクタ（以下「プロテクタ」という。）１は、長手方向に延在する半円筒状の真直体である。両端部は、電線（幹線）１５を通すことができるように開放している。プロテクタ１を取付けるリーンホース（管状補強部材）１７が、屈曲している場合には、プロテクタ１を屈曲体として構成することもできる。リーンホース１７については後述する。
【００３１】
プロテクタ１は、円筒を縦割した湾曲形状の二つの分割体から略構成されている。二つの分割体の内、一方の樋状の分割体が、電線１５を収容する下蓋体３であり、他方の分割体が上蓋体２である。下蓋体３には、窓状に切欠きされた開口が形成されている。この開口は、プロテクタ１に収容された電線１５から分岐線１５ａを引き出すための出口に相当する。上蓋体２は、下蓋体３の開放面を覆い、電線１５が抜き出ないようにするためのものである。
【００３２】
上蓋体２と下蓋体３とは、ヒンジ４を介して連結されており、２枚貝の如くに開閉自在になっている。両蓋体２、３は、後述する係止爪７と係止孔８とを係合させることにより、閉じることができるようになっている。なお、ヒンジ４は、上蓋体２と下蓋体３とが回動することができるように薄肉に形成されている。
【００３３】
図２（ａ）、（ｂ）に示すように、プロテクタ１の上蓋体２と下蓋体３とは、ヒンジ４を境にして左右に対向して展開している。下蓋体３は、樋状の電線収容空間５を有しており、複数の電線１５を収容できるようになっている。また、上蓋体２よりやや幅広に形成されている。下蓋体３の長手方向（上下方向）のやや中央部には、切欠部６が形成されている。これは、前述したように、プロテクタ１に分岐線１５ａの出口を形成するためである。切欠部６の数は、電線１５の分岐数に応じて任意に決定される。
【００３４】
また、下蓋体３の幅方向の端部側には、上蓋体２の係止爪７と係合する係止孔８が形成されている。係止孔８は、長孔に形成されている。長孔に形成したのは、主に、係止爪７が孔内をスライドすることができるようにするためであるが、上蓋体２と下蓋体３との取付誤差を吸収することができる利益もある。
【００３５】
上蓋体２は、下蓋体３の開放面を覆うものであり、いわゆるプロテクタカバーに相当する。上蓋体２の幅方向の端部側には、上述した係止孔８と係合する係止爪７が突出形成されている。係止爪７は、錨状に形成されているから、係止孔８への挿入をスムーズに行うことができる。また、取り外しは、係止爪７を撓ませることにより行われる。
【００３６】
図２（ｂ）に示すように、上蓋体２は、下蓋体３と同様に、曲面に形成されている点では、共通しているが、幅方向（左右方向）に幅狭になっている点及び上蓋体２が弾性を有している点では相違している。幅狭になっている点については、プロテクタカバーとして機能すれば、十分だからである。
【００３７】
上蓋体２が弾性を有しているのは、曲面の向きを反転させることができるようにするためである。反転させることで、プロテクタ１の横断面を三日月状にすることができ、後述するリーンホース１７にプロテクタ１を取付けた際に、プロテクタ１が外側に出っ張ることを防止することができる。曲面の向きの反転は、治具等を利用して、上蓋体２に対して垂直方向の力を作用させることにより行われる。曲面の向きを反転させることで、下蓋体３の電線収容空間５、ひいてはプロテクタ１の内部空間のスペース１３が吸収されるから、言い換えると、電線１５を動かないように挟持することもできる。なお、上蓋体２を反転させるのは、下蓋体３の電線収容空間５に電線１５を収容する前でも、電線収容空間５に電線１５を収容した後でもよい。
【００３８】
図３に示すように、複数の電線１５は、プロテクタ１の下蓋体３の曲面に倣うようにして収容されており、上蓋体２を回動して、係止爪７を下蓋体３の係止孔８に挿入することにより、プロテクタ１が閉じられる。この状態を図３（ａ）に示すように、プロテクタ１は中膨れ状になっており、プロテクタ１の内部空間には、若干のスペース１３を有している。
【００３９】
図３（ｂ）に示すように、内部空間にスペース１３があるのは、上蓋体２を反転することができるようにするためである。逆に、電線１５が内部空間一杯に収容されると、スペース１３が無くなり、反転することができないからである。上蓋体２を反転させることで、複数の電線１５は上蓋体２と下蓋体３との間に挟持される。そして、電線１５のガタ付きが防止されるから、走行中の振動に起因する異音等を発生することもない。
【００４０】
断面三日月状のプロテクタ１は、上蓋体２側をパイプ状のリーンホース１７に対面させるようにして取付られる。上蓋体２及びリーンホース１７は、同一方向に湾曲しているから、少ない隙間で重なり合うことができる。従って、プロテクタ１がリーンホース１７の外側に出っ張ることが防止される。
【００４１】
図４に示すように、電線１５が収容されたプロテクタ１は、インパネ内（図示しない）のリーンホース１７の外周面１８に取り付けられる。リーンホース１７は、インパネを補強するための部材であり、パイプ部材で構成されている。リーンホース１７をパイプ部材としたのは、軽量化のためである。リーンホース１７の断面形状は、断面性能を考慮して決定されるものであり、本実施の形態では一例として環状断面のリーンホース１７が示されている。リーンホース１７の両端には、車両ボディに溶接等にて固着されるブラケット（図示しない）が備えられている。
【００４２】
リーンホース１７の外周面１８には、上蓋体２の凹曲面側の係止鈎部（係止クリップ）９に対応する位置にクリップ孔（孔部）１１が設けられている。クリップ孔１１は、長手方向及び周方向に、所定の間隔で複数形成されている。また、クリップ孔１１は、錨状の係止鈎部９が挿入できるように貫通孔となっている。
【００４３】
プロテクタ１とリーンホース１７の取付けは、上蓋体２の凹曲面側に備わる可撓性の複数の係止鈎部９をリーンホース１７外周のクリップ孔１１に挿入し、係止鈎部９の顎部１０をクリップ孔１１に引っ掛けることにより行われる。
【００４４】
【発明の効果】
以上の如く、請求項１記載の発明によれば、管状補強部材に取り付けられるプロテクタは、二つの分割体から略構成されている。一方の分割体は下蓋体であり、他方の分割体は上蓋体である。両分割体は、ヒンジにより連結されているため、二枚貝の如き開閉自在である。閉状態のときのプロテクタの断面は、三日月形状を成しており、ワイヤハーネスは、両分割体の間に収容され、動かないように挟持される。プロテクタは、管状補強部材の長手方向に沿って重ねられ、各種の固定手段により取付けられる。
従って、ワイヤハーネスを収容したプロテクタを、リーンホース等の管状補強部材に取り付けても、外側に出っ張ることがなく、電装部品等との干渉を回避することができる。また、プロテクタに対するワイヤハーネスの収納を楽に行うことができ、配索作業性が向上する。ワイヤハーネスのほぼ全体がプロテクタに保護されているため、電線の損傷を防止することができる。
【００４５】
さらに、他方の分割体が弾性壁であるから、弾性壁に対して垂直方向の力を作用させることによって、曲面の向きを反転させることが可能になっている。反転させるのは、電線収容空間に電線を収容する前でも、電線を収容した後でもよい。弾性壁を反転させることにより、プロテクタの断面は三日月状になり、電線収容空間、ひいてはプロテクタの内部空間が狭くなる。
従って、断面三日月状のプロテクタを簡単に得ることができ、請求項１又は請求項２記載の発明と同様の効果を得ることができる。
【００４６】
また、請求項２記載の発明によれば、両分割体は、それぞれが曲面で構成されているから、管状補強部材の外周に倣って取り付けることができる。
従って、プロテクタの外側への出っ張りが有効に防止され、電装部品等の干渉が防止される。
【００４７】
また、請求項３記載の発明によれば、何れか一方の分割体の端部に係止爪が形成され、他方の分割体の端部に係止孔が形成されて、両分割体は閉じることができるようになっている。係止爪は錨状に形成されているから、係止孔への挿入をスムーズに行うことができる。また、取り外しは、係止爪を撓ませることにより行われる。
従って、ワイヤハーネスをプロテクタに容易に収納することができる。また、ワイヤハーネスの太さが変わっても、動かないように抱持することができ、異音の発生が防止される。
【００４８】
また、請求項４記載の発明によれば、係止孔は、長孔に形成されているため、両蓋体の取付誤差を吸収でき、また、ワイヤハーネスの太さに応じて、係止爪の位置を周方向にスライドさせることができる。
【００４９】
また、請求項５記載の発明によれば、他方の分割体の凹曲面側には、管状補強部材の孔部に係合する係止クリップが形成されているから、プロテクタを管状補強部材にワンタッチで固定することができる。係止クリップは錨状に形成されているから、孔部への挿入をスムーズに行うことができる。
従って、管状補強部材に対するプロテクタの固定を楽に行うことができ、狭小なインパネ内での取付作業性が向上する。
【００５０】
また、請求項６記載の発明によれば、一方の分割体に切欠部が形成されており、そして、この切欠部はプロテクタに開口を形成する。
従って、電線の分岐する場合に適用でき、電線の配索作業性を高めることができる。
【図面の簡単な説明】
【図１】本発明のハーネスプロテクタの一実施形態を示す斜視図である。
【図２】図１に示すハーネスプロテクタの開状態を示す図であり、（ａ）は展開した図、（ｂ）は（ａ）のＡ−Ａ線に沿う拡大断面図である。
【図３】図１に示すハーネスプロテクタに電線を収容した状態を示す図であり、（ａ）は上蓋体と下蓋体とを係合した状態の拡大断面図、（ｂ）は上蓋体を反転させて凹ませた状態の拡大断面図である。
【図４】リーンホースに本発明のプロテクタを取り付ける状態を示す説明図である。
【図５】従来のリーンホース固定用プロテクタの一例を示す図であり、（ａ）は斜視図、（ｂ）は要部横断面図である。
【符号の説明】
１      プロテクタ
２      上蓋体（一方の分割体）
３      下蓋体（他方の分割体）
４      ヒンジ
５      電線収容空間
６      切欠部
７      係止爪
８      係止孔
９      係止鈎部（係止クリップ）
１１    クリップ孔（孔部）
１５    電線（幹線）
１５ａ  分岐線
１７    リーンホース（管状補強部材）
【図１】
0003752148.tif 000002
【図２】
0003752148.tif 000003
【図３】
0003752148.tif 000004
【図４】
0003752148.tif 000005
【図５】
0003752148.tif 000006